(57)【要約】【課題】足の指を挟むことを防止でき、床が傷つくことも防止できる建具の提供。【解決手段】折れ戸１において、障子の一方の縦框１３１の下端に下部キャップ部材４０、５０を設ける。一方の下部キャップ部材４０には、障子が直線上に並ぶ全閉状態において、下部キャップ部材５０側に向かって突出された突出部４４を設ける。下部キャップ部材５０には、前記全閉状態において、突出部４４が収納され、かつ、突出部４４が当接して係合される収納凹部５４と、全閉状態にした際に突出部４４に対して平面的に重なるカバー部５６とを設ける。カバー部５６は収納凹部５４において突出部４４が当接して係合される位置よりも外側に張り出されている。【選択図】図４
2008190142.tif 000002
【特許請求の範囲】
【請求項１】
上レールおよび下レールに支持される少なくとも一対の面材を備え、前記一対の面材の互いに隣接する一方の側端縁同士が回動自在に連結されるとともに、当該面材の他方の側端縁上部および下部がそれぞれ左右スライド自在かつ回動自在に前記上レールおよび下レールに支持された建具であって、
前記各面材の一方の側端縁の下端にはそれぞれ端部部材が設けられ、
一方の端部部材には、前記面材が直線上に並ぶ全閉状態において、前記他方の端部部材側に向かって突出された突出部が設けられ、
他方の端部部材には、
前記面材が直線上に並ぶ全閉状態において、前記一方の端部部材の突出部が収納され、かつ、前記突出部が当接して係合される収納凹部と、
前記面材を全閉状態にした際に前記突出部に対して平面的に重なるカバー部とが設けられ、
前記カバー部は前記収納凹部において前記突出部が当接して係合される位置よりも外側に張り出して形成されている建具。
【請求項２】
前記カバー部は、前記突出部の下面に沿って配置されている請求項１に記載の建具。
【請求項３】
前記他方の端部部材には、前記突出部の上面に沿って配置され、前記カバー部と対向する案内部が設けられ、
前記カバー部および案内部間に前記収納凹部が形成されている請求項２に記載の建具。
【請求項４】
前記各端部部材には、各面材を全閉状態にした際に互いに当接する逆折れ防止用当接部が設けられている請求項１から請求項３のいずれかに記載の建具。
【請求項５】
前記突出部は、前記面材を全閉状態にした際に、前記収納凹部に対向する外側面を備え、
前記収納凹部は、前記面材を全閉状態にした際に、前記突出部の外側面に対向する傾斜面を備え、
前記突出部の外側面および収納凹部の傾斜面は、前記面材を全開状態から全閉状態に移動した際に、各外側面および傾斜面間が、突出部および収納凹部が離れた開口側から突出部および収納凹部が互いに当接する係合部に向かって徐々に狭くなるように形成されている請求項１から請求項４のいずれかに記載の建具。
【請求項６】
前記突出部の外側面は円弧状に形成されている請求項５に記載の建具。
【請求項７】
前記突出部には円弧状に突出された係合突起が形成され、前記収納凹部には前記係合突起が係合される係合凹部が形成されている請求項１から請求項６のいずれかに記載の建具。
【発明の詳細な説明】
【技術分野】
【０００１】
本発明は、一対の面材の側端縁同士が回動自在に連結されるとともに、連結された側と反対の側端縁上部および下部が左右スライドに上レールおよび下レールに支持された折れ戸等の建具に関する。
【背景技術】
【０００２】
一対の面材（パネル）の側端縁同士を回動自在に連結した折れ戸において、各面材を上下レールに沿って一直線状に配置する全閉状態を維持するため、各面材の側端縁の上部に磁石を組み込んだものが知られている（例えば特許文献１参照）。
特許文献１に記載された折れ戸では、面材の側端縁において、全閉状態で互いに対向する面に磁石を有する磁着用突部を形成していた。そして、折れ戸を開いている状態では、磁着用突部の磁石が設けられた対向面同士は離れており、折れ戸を閉じると、その対向面同士が当接し、前記磁石によって所定の保持力でその全閉状態を維持していた。
【０００３】
また、折れ戸においては、面材を全閉状態にした際に、回動自在に連結された側端縁の上端部や下端部からレールに向かって突出して係合するラッチを設けることで、全閉状態を維持するものも知られている（例えば特許文献２参照）。
【０００４】
【特許文献１】実公平４−１３７８７号公報
【特許文献２】実公平２−２８７７号公報
【発明の開示】
【発明が解決しようとする課題】
【０００５】
ところで、前記特許文献１のような折れ戸は、近年、居室空間の床から天井までの高さ寸法を有し、前記居室空間を区画する折れ戸タイプの可動パーティションなどとしても用いられるようになった。このような高さ寸法が大きい折れ戸においては、上部側のみに磁石を設けただけでは十分な保持力が得られないため、折れ戸の下部にも前記磁石を設け、折れ戸を閉じた際にその磁石が設けられた面同士を当接させたものも用いられるようになった。
【０００６】
しかしながら、このような折れ戸の下部に、全開状態では互いに離れており、全閉状態では前記磁石によって互いに当接する面が設けられていると、全閉時にその面によって利用者の足の指を挟むおそれがあった。
【０００７】
一方、特許文献２の場合には、このような問題は生じないが、フランス落としのように、面材の下部から突出するラッチを設けているため、折れ戸が全閉状態になっていない状態で前記ラッチが突出すると、折れ戸が設置されたフローリングなどの床を傷つけてしまうという問題があった。
【０００８】
本発明の目的は、足の指を挟むことを防止できかつ床が傷つくことも防止できる建具を提供することにある。
【課題を解決するための手段】
【０００９】
本発明の建具は、上レールおよび下レールに支持される少なくとも一対の面材を備え、前記一対の面材の互いに隣接する一方の側端縁同士が回動自在に連結されるとともに、当該面材の他方の側端縁上部および下部がそれぞれ左右スライド自在かつ回動自在に前記上レールおよび下レールに支持された建具であって、前記各面材の一方の側端縁の下端にはそれぞれ端部部材が設けられ、一方の端部部材には、前記面材が直線上に並ぶ全閉状態において、前記他方の端部部材側に向かって突出された突出部が設けられ、他方の端部部材には、前記面材が直線上に並ぶ全閉状態において、前記一方の端部部材の突出部が収納され、かつ、前記突出部が当接して係合される収納凹部と、前記面材を全閉状態にした際に前記突出部に対して平面的に重なるカバー部とが設けられ、前記カバー部は前記収納凹部において前記突出部が当接して係合される位置よりも外側に張り出して形成されていることを特徴とする。
【００１０】
ここで、本発明の建具としては、上枠、下枠および左右の縦枠で構成された枠体内部に支持された一対の面材が開閉可能に構成された折れ戸が例示できる。この際、上枠に上レールが設けられ、下枠に下レールが設けられていればよい。また本発明の建具としては、折れ戸に限らず、可動間仕切り（可動パーティション）等であってもよく、この際には、上レールや下レールは枠体に設けられたものに限らず、上レールが設けられた上レール部材が天井に固定され、下レールが設けられた下レール部材が床に設けられていてもよい。さらに、本発明の建具としては、一対の面材を一組み有したものであってもよく、さらに一対の面材を二組み以上の複数組み有したものであってもよい。
また、面材としては、上框、下框および左右の縦框で構成された框組みの内部にガラス製や樹脂製のパネルを嵌め込んで形成された障子が例示できる。
さらに、カバー部が突出部に対して平面的に重なるとは、カバー部が突出部の下面側あるいは上面側に配置され、例えば、カバー部の上に突出部が重なることができるように構成されていることを意味する。そして、全閉状態において、前記カバー部が突出部に平面的に重なるのであるから、例えば、カバー部の上に突出部が重なる場合には、突出部が収納される収納凹部はカバー部の上面側に形成されていることになる。
【００１１】
本発明では、一対の面材の一方の側端縁（例えば、障子の縦框）の下端に各端部部材を設け、これらの端部部材のうち、一方の端部部材に突出部を設け、他方の端部部材に突出部が当接して係合される収納凹部と、カバー部とを設けている。このため、面材を全閉状態にした際に収納凹部と突出部とを係合させることができるので、面材を全閉状態に保持する保持力を確保できる。
また、カバー部は突出部および収納凹部の係合位置よりも外側に張り出して形成されているので、前記係合位置はカバー部の外側縁よりも奥まった位置に設けられている。このため、床に置かれた足の指を収納凹部に近づけた場合でも、足がカバー部に当接するため収納凹部内に指が入ってしまうことを防止でき、各端部部材で指が挟まれることも防止できる。
さらに、レールに向かって突出するラッチを設ける必要がないため、フローリング等の床が傷つくことも防止できる。
【００１２】
本発明では、前記カバー部は、前記突出部の下面に沿って配置されていることが好ましい。
カバー部が突出部の下面に設けられていれば、突出部が収納される収納凹部はカバー部の上面側に形成されることになる。従って、床から所定高さ位置に収納凹部が形成され、その下側にはカバー部が配置されているので、床の上にある足の指はカバー部に当接し、収納凹部内に侵入することを効果的に防止できる。
【００１３】
本発明では、前記他方の端部部材には、前記突出部の上面に沿って配置され、前記カバー部と対向する案内部が設けられ、前記カバー部および案内部間に前記収納凹部が形成されていることが好ましい。
カバー部の他に案内部が設けられ、これらの間に収納凹部が形成されていれば、収納凹部に足の指を入れようとしても前記カバー部や案内部に足が当たり、指が収納凹部に入ってしまうことを効果的に防止できる。
さらに、突出部をカバー部および案内部でガイドすることができるので、全開状態および全閉状態間で面材を移動する際に突出部の移動もスムーズに行うことができる。
【００１４】
本発明では、前記各端部部材には、各面材を全閉状態にした際に互いに当接する逆折れ防止用当接部が設けられていることが好ましい。
各端部部材に逆折れ防止用当接部が設けられていれば、各面材を全開状態から全閉状態に移動した際に、更に面材が逆方向に折れ曲がってしまう逆折れ現象を確実に防止でき、全閉状態での面材の安定性を向上できる。
【００１５】
本発明では、前記突出部は、前記面材を全閉状態にした際に、前記収納凹部に対向する外側面を備え、前記収納凹部は、前記面材を全閉状態にした際に、前記突出部の外側面に対向する傾斜面を備え、前記突出部の外側面および収納凹部の傾斜面は、前記面材を全開状態から全閉状態に移動した際に、各外側面および傾斜面間が、突出部および収納凹部が離れた開口側から突出部および収納凹部が互いに当接する係合部に向かって徐々に狭くなるように形成されていることが好ましい。
各外側面および傾斜面間が、突出部および収納凹部が離れた開口側から突出部および収納凹部が互いに当接する係合部に向かって徐々に狭くなるように形成されていれば、仮に収納凹部内に指が入ってしまっても、外側面および傾斜面は奥に行くに従って狭くなっているため、指は押し戻されて奥まで入ってしまうことがない。このため、指が収納凹部内に入ってしまっても、突出部および収納凹部で指が挟まれてしまうことを防止できる。
【００１６】
ここで、前記突出部の外側面は円弧状に形成されていることが好ましい。
外側面が円弧状に形成されていれば、前記指を押し戻しやすくでき、指が挟まれることをより一層確実に防止できる。
【００１７】
また、前記突出部には円弧状に突出された係合突起が形成され、前記収納凹部には前記係合突起が係合される係合凹部が形成されていることが好ましい。
このような構成によれば、係合突起および係合凹部の係合によって突出部および収納凹部を面材の全閉状態に維持することができる。このため、端部部材間において、磁石を用いて保持力を確保する必要が無く、コストを低減でき、床に落ちている金属製のゴミが磁石に磁着してしまうことも確実に防止できる。
【発明を実施するための最良の形態】
【００１８】
以下、本発明の実施形態を図面に基づいて説明する。
図１は、本発明の実施形態に係る建具である折れ戸１を示す正面図である。図２は、折れ戸の縦断面図であり、図３は折れ戸１の横断面図である。
図１〜図３において、折れ戸１は、天井２、床３および左右の壁（不図示）で囲まれた開口部に設けられて空間を左右に仕切るものであって、天井２位置に設けられた上枠４と、床３の床面材３Ａに埋設して設けられた下レール５と、壁に設けられた左右の縦枠６と、上枠４および下レール５に開閉支持される６枚の面材としての障子１０とを備えて構成されている。６枚の障子１０は、それぞれ一対２枚の障子１０が三組みで構成され、各組の一対の障子１０同士が互いに連結され、連結位置で折れ曲がりつつ開閉されるようになっている。
【００１９】
上枠４は、天井２の下地材２Ａに固定される上枠ベース４Ａと、この上枠ベース４Ａに取り付けられる上レール材４Ｂとを有して構成されている。上レール材４Ｂには、長手方向に延びて下方に開口した上レール４Ｃが形成されている。そして、上レール４Ｃには、長手方向に転動自在なローラー４Ｄが支持され、このローラー４Ｄには、下方に延びるロッドが連結され、このロッドを介して障子１０が上枠４に吊り下げ支持されている。
また、縦枠６は、壁に沿って上下に延びて取り付けられており、この縦枠６には、障子１０の縦框１３に当接するゴム製の戸当たり部材６Ａが設けられている。
【００２０】
障子１０は、それぞれアルミ形材製の上框１１、下框１２、および左右の縦框１３を四周框組みした内部にガラス製や樹脂製のパネル１４を嵌め込んで形成されている。そして、各一対の障子１０は、図３において左側の二組の障子１０のように、２枚の障子１０が一直線上に並んだ全閉位置と、図３において右側の一組の障子１０のように、２枚の障子１０が連結位置で折れ曲がった全開位置との間を左右スライド移動かつ回動可能になっている。なお、各障子１０は、レール４Ｃ，５に沿って自由に移動可能であるため、各組の障子１０の全開状態とした場合、各組の障子１０が左右の縦枠６側に引き分けた状態にしてもよいし、すべての組の障子１０が左右いずれか一方の縦枠６側に片寄せした状態であってもよい。
【００２１】
一対の障子１０は、互いに隣接する一方の側端縁である縦框１３１同士が連結部材１５を介して回動自在に連結されている。また、一対の障子１０において他方（つまり縦框１３１と反対側）の側端縁には縦框１３２が設けられ、各縦框１３１，１３２間に前記上框１１、下框１２が架け渡されている。上框１１において、縦框１３２側の端部位置には、前記ローラー４Ｄから延びるロッドが回動自在に連結されている。下框１２において、縦框１３２側の端部位置には、下レール５に左右スライド自在かつ回動自在に支持される案内部材２０が設けられている。この案内部材２０は、下框１２に固定される固定部２１と、この固定部２１に支持されて障子１０の下端縁から下方に突出した軸部２２と、軸部２２に回動自在に連結されたスライド部２４とを有して構成されている。そして、障子１０を開いた場合には、図３に示すように、各下框１２に設けられたスライド部２４同士が当接し、各縦框１３２間を所定間隔に保持している。このため、全開状態の障子１０は、平面形状が三角形状となるように設定され、障子１０が倒れずに安定した全開状態を維持できるようにされている。
【００２２】
連結部材１５で回動自在に連結された縦框１３１の上部には、図４〜７に示すように、上部キャップ部材３０が取り付けられている。
上部キャップ部材３０には、一対の障子１０を全閉状態にした際に、互いに対向する面に磁石３１が埋設されている。このため、図６，７に示すように、障子１０を全閉状態にした場合には、前記上部キャップ部材３０の磁石３１同士が磁着し、各障子１０が一直線に並ぶ全閉状態を保持することができる。
【００２３】
縦框１３１の下部には、端部部材である下部キャップ部材４０，５０が取り付けられている。
すなわち、連結部材１５で回動自在に連結された２つの縦框１３１のうち、一方の縦框１３１の下端には一方の端部部材である下部キャップ部材４０が取り付けられ、他方の縦框１３１の下端には他方の端部部材である下部キャップ部材５０が取り付けられている。
【００２４】
図８〜１０は、図７のＡ−Ａ線に沿った断面図であり、Ａ−Ａ線に沿った断面を下から見上げた図である。
下部キャップ部材４０，５０は、中空筒状に形成された縦框１３１内に挿入される図示略の挿入部と、この挿入部に一体的に形成されて縦框１３１の下端部に連続して配置された本体部４１，５１とを備えている。
本体部４１，５１は、概略角柱状に形成されている。すなわち、本体部４１，５１において一対の障子１０が全閉状態になった際に互いに対向する面を対向面４１Ａ，５１Ａ、一対の障子１０が折り曲げられて全開状態になった際に外側（山側）となる面を外面４１Ｂ，５１Ｂ、内側（谷側）となる面を内面４１Ｃ，５１Ｃ、パネル１４を保持する側の面を裏面４１Ｄ，５１Ｄとすると、図３，４，５に示すように、外面４１Ｂ，５１Ｂ、内面４１Ｃ，５１Ｃは縦框１３１の外面１３Ｂ、内面１３Ｃと面一となるようにされている。また、裏面４１Ｄ，５１Ｄは、図６に示すように、縦框１３１のパネル保持面１３Ｄと同様に断面コ字状に形成されている。
【００２５】
本体部４１，５１の対向面４１Ａ，５１Ａの最上部には、逆折れ防止用当接部４２，５２と、連結部材１５を収納する収納凹部４３，５３が形成されている。
すなわち、逆折れ防止用当接部４２，５２は、図４や図８〜１０に示すように、対向面４１Ａ，５１Ａから突出した平面略三角形状の突出片部によって形成されている。逆折れ防止用当接部４２，５２は、各外面４１Ｂ，５１Ｂ側から対向面４１Ａ，５１Ａの幅方向の略中央部まで徐々に突出するように斜め方向に突出するように形成され、縦框１３１の対向面１３Ａに設けられた傾斜面１３Ｅに沿って設けられている。
【００２６】
また、逆折れ防止用当接部４２，５２の先端部には、縦框１３１の対向面１３Ａよりも突出する突部４２Ａ，５２Ａが形成されている。そして、図８〜図１０に示すように、各障子１０を全閉状態にした場合には、各突部４２Ａ，５２Ａ同士が当接し、図３，６にも示すように、各縦框１３１間に所定の隙間６０を確保するとともに、図８〜図１０の状態まで移動された障子１０がさらに逆折れ方向にまで移動しないようにしている。すなわち、逆折れ防止用当接部４２，５２が互いに当接することによって、各障子１０の逆折れが防止されている。
【００２７】
また、収納凹部４３，５３は、前記逆折れ防止用当接部４２，５２から内面４１Ｃ，５１Ｃに向かって略円弧状に形成されている。この収納凹部４３，５３には、連結部材１５の下端部が配置され、各障子１０を開閉して連結部材１５に対して各縦框１３１や下部キャップ部材４０，５０が移動した際に、連結部材１５と下部キャップ部材４０，５０が干渉しないようにされているとともに、図１０に示すように、障子１０を全閉状態とした際に、下部キャップ部材４０，５０の見込み寸法内に連結部材１５が収納され、障子１０によって閉じられた面から突出しないように構成されている。
【００２８】
図４〜７に示すように、下部キャップ部材４０の本体部４１の対向面４１Ａには突出部４４が形成され、下部キャップ部材５０の本体部５１の対向面５１Ａには案内部５５およびカバー部５６が形成されている。これらの突出部４４、案内部５５、カバー部５６は、高さ位置が、上から、案内部５５、突出部４４、カバー部５６の順序で互い違いに設けられている。すなわち、案内部５５、カバー部５６の間に、前記突出部４４が挿入して配置可能とされている。つまり、案内部５５およびカバー部５６は、突出部４４の上面および下面に沿って形成されている。
【００２９】
これらの突出部４４、案内部５５、カバー部５６について、図１１〜１６も参照して説明する。なお、図１１〜１３は、図７のＢ−Ｂ線に沿った断面図であり、Ｂ−Ｂ線に沿った断面を下から見上げた図である。また、図１４〜１６は、下部キャップ部材４０，５０の下面図である。
突出部４４は、図４や図１１〜１３に示すように、下部キャップ部材４０の対向面４１Ａから突出され、障子１０が直線上に並ぶ全閉状態においては、下部キャップ部材５０の案内部５５およびカバー部５６間に形成された収納凹部５４内に収納可能に形成されている。
突出部４４は、全体の平面形状が略三角形状でかつ水平方向に突出された水平板状に形成されている。この突出部４４は、前記対向面４１Ａから突出された基端板部４４１と、基端板部４４１からさらに外側に突出された前端板部４４２とを備え、本体部４１に一体に形成されている。
【００３０】
前記基端板部４４１の外側面４４１Ａは、外面４１Ｂ側から対向面４１Ａの幅方向の略中央部まで徐々に突出するように斜め方向に突出するように形成されて、縦框１３１の傾斜面にほぼ沿って設けられている。また、基端板部４４１の内側面４４１Ｂは、内面４１Ｃから連続して形成されている。
前記前端板部４４２の外側面４４２Ａは、前記傾斜面４４１Ａから円弧状に連続して形成され、前記前端板部４４２の内側面４４２Ｂは、内側面４４１Ｂから連続して形成されている。
前端板部４４２の先端には、平面形状が半円状とされて外側に突出する係合突起４４３が形成されている。
【００３１】
突出部４４は、全閉状態において前記カバー部５６の上側に配置されて平面的に重なるため、下部キャップ部材４０の下端から、カバー部５６の厚さ寸法分以上の所定高さの位置に設けられている。本実施形態では、突出部４４は下部キャップ部材４０の下端から突出部４４の下面までの高さ寸法が約５ｍｍとなる位置に設けられている。また、突出部４４の厚さ寸法は約４ｍｍとされている。
【００３２】
一方、突出部４４が配置される下部キャップ部材５０の収納凹部５４は、図１１〜１３に示すように、障子１０の開閉に伴い、前記突出部４４が移動可能に形成されている。すなわち、収納凹部５４は、外面５１Ｂ側から内面５１Ｃに向かうに従って、対向面５１Ａから裏面５１Ｄに向かう方向に傾斜された傾斜面５４Ａと、この傾斜面５４Ａに連続し、かつ裏面５１Ｄにほぼ平行に設けられた平行面５４Ｂとを備えている。平行面５４Ｂには、前記係合突起４４３が係合する平面円弧状に形成された係合凹部５４３が設けられている。
従って、収納凹部５４は、傾斜面５４Ａを備えているので、図１１〜１３に示すように、障子１０を全開状態から全閉状態に移動させ、連結部材１５に対して各縦框１３１が回動すると、傾斜面５４Ａと外側面４４２Ａとの隙間は、奥（外面４１Ｂ，５１Ｂ側から内面４１Ｃ，５１Ｃに向かう方向）にいくほど狭くなるように設定されている。
【００３３】
下部キャップ部材５０の最下部に設けられたカバー部５６は、図４や図１４〜１６に示すように、突出部４４の平面形状とほぼ線対称となるような平面形状とされている。カバー部５６は、前記係合突起４４３に対応する突起が形成されていないが、その他の構成は前記突出部４４に類似している。
すなわち、カバー部５６は、図４や図１４〜１６に示すように、対向面５１Ａから突出され、障子１０が直線上に並ぶ全閉状態においては、下部キャップ部材４０の突出部４４の下面側に形成された収納凹部４６内に収納可能に形成されている。
カバー部５６は、全体の平面形状が略三角形状でかつ水平方向に突出された水平板状に形成されている。このカバー部５６は、前記対向面５１Ａから突出された基端板部５６１と、基端板部５６１からさらに外側に突出された前端板部５６２とを備え、本体部５１に一体に形成されている。このため、カバー部５６は、収納凹部５４において突出部４４が当接して係合する係合凹部５４３の位置よりも外側（下部キャップ部材５０が外表面側）まで張り出して形成されている。
なお、カバー部５６および突出部４４の上面は平坦面とされているが、下面は、軽量化を図りつつ、強度を確保するために、外周および内部にリブが形成されている。
【００３４】
前記基端板部５６１の外側面５６１Ａは、外面５１Ｂ側から対向面５１Ａの幅方向の略中央部まで徐々に突出するように斜め方向に突出するように形成されて、縦框１３１の傾斜面にほぼ沿って設けられている。また、基端板部５６１の内側面５６１Ｂは、内面５１Ｃから連続して形成されている。
前記前端板部５６２の外側面５６２Ａは、前記外側面５６１Ａから円弧状に連続して形成され、前記前端板部５６２の内側面５６２Ｂは、内側面５６１Ｂから連続して形成されている。
【００３５】
カバー部５６は、前記突出部４４の下側に配置されるため、下部キャップ部材５０の下端から、前記突出部４４の下面の高さ位置以内となる高さ寸法で形成されている。すなわち、カバー部５６の厚さ寸法は約５ｍｍに設定されている。
【００３６】
一方、下部キャップ部材４０の前記突出部４４の下側には、カバー部５６が配置可能な収納凹部４６が形成されている。収納凹部４６は、図１４〜１６に示すように、障子１０の開閉に伴い、前記カバー部５６が移動可能に形成されている。すなわち、収納凹部４６は、外面４１Ｂ側から内面４１Ｃに向かうに従って、裏面４１Ｄとほぼ平行な第１平行面４６Ａと、第１平行面４６Ａに連続しかつ裏面４１Ｄ側に近づくように湾曲された湾曲面４６Ｂと、湾曲面４６Ｂに連続しかつ裏面４１Ｄとほぼ平行な第２平行面４６Ｃとを備えている。
従って、収納凹部４６は、湾曲面４６Ｂを備えているので、図１４〜１６に示すように、障子１０を全開状態から全閉状態に移動させ、連結部材１５に対して各縦框１３１が回動すると、湾曲面４６Ｂと外側面５６２Ａとの隙間は、奥（外面４１Ｂ，５１Ｂ側から内面４１Ｃ，５１Ｃに向かう方向）にいくほど狭くなるように設定されている。
【００３７】
下部キャップ部材５０において、前記カバー部５６の上方に形成された案内部５５は、前記カバー部５６と同じ形状・構成であるため、説明を省略する。
同様に、下部キャップ部材４０において、前記案内部５５が収納配置される収納凹部４５も前記収納凹部４６と同じ形状・構成であるため、説明を省略する。
但し、前記案内部５５の厚さ寸法は約３．０ｍｍとされて前記カバー部５６よりも薄く形成されている。従って、収納凹部４５の高さ寸法も約３．５ｍｍと前記案内部５５が収納可能な寸法とされ、前記収納凹部４６の高さ寸法（約５ｍｍ）よりも小さくされている。
【００３８】
また、図１４に示すように、突出部４４と、案内部５５およびカバー部５６は、障子１０を全開状態とした際に、先端の一部が上下方向に重なるように設定されている。このため、全開状態から障子１０を閉める際に、突出部４４の側面が案内部５５やカバー部５６の側面に引っ掛かってしまうことがなく、突出部４４を案内部５５およびカバー部５６間にスムーズに案内できるように構成されている。
【００３９】
［障子の開閉時の動作］
障子１０を全開状態から全閉状態に移動させる場合、図4に示すように、障子１０の連結部材１５の山側（突出部４４、案内部５５、カバー部５６が突出する側）にいる人の足の指を挟んでしまうことを防止するため、各下部キャップ部材４０，５０は次のように動作する。
まず、障子１０の全開状態においては、各突出部４４、案内部５５、カバー部５６が対向面４１Ａ，５１Ａから突出されているため、足の指が対向面４１Ａ，５１Ａに近づくことが防止されている。
【００４０】
また、突出部４４の上下に案内部５５、カバー部５６を配置しているので、各収納凹部４５，４６，５４の高さ寸法も小さくでき、各収納凹部４５，４６，５４に足の指が侵入することを防止できる。例えば、前記収納凹部４６部分に足の指が位置していても、突出部４４に足が当たるため、それ以上、奥まで指が入ることを防止できる。
さらに、収納凹部５４部分には、まず、床に接している足の指は、カバー部５６に当たるため、収納凹部５４部分に指が入ることを防止できる。また、仮に、足の指を浮かせており、収納凹部５４部分に指が位置していても、案内部５５に足が当たるため、それ以上、奥まで指が入ることを防止できる。
また、収納凹部４６部分は、床から高い位置に形成されているので、無意識のうちに足の指を配置することは殆どない。その上、突出部４４が突出されているので、単に指を持ち上げただけでは、収納凹部４６部分に指が入ることはない。
以上のように、突出部４４、案内部５５、カバー部５６が設けられており、かつ、収納凹部４５，４６，５４の高さ寸法も小さいために、収納凹部４５，４６，５４に指が入って挟まれてしまうことが基本的に防止されている。
【００４１】
さらに、突出部４４、案内部５５、カバー部５６および収納凹部４５，４６，５４の形状によって指が挟まれることが防止されている。
すなわち、突出部４４、案内部５５、カバー部５６の外側面４４２Ａ，５６２Ａは円弧状に形成され、かつ、収納凹部４５，４６，５４には湾曲面４６Ｂや傾斜面５４Ａが形成されているので、図１１〜１６に示すように、外側面４４２Ａ，５６２Ａと、傾斜面５４Ａ、湾曲面４６Ｂ間の隙間は、縦框１３１が回転するに従いかつ奥に行くに従って幅寸法が狭くなっている。このため、万が一、指が収納凹部４５，４６，５４に入ったとしても、先が狭くなっており、かつ、その側面が円弧状に形成されていて、縦框１３１が回転した際に徐々に間隔が狭くなるため、指は外に押し戻され、指が挟まれることがない。
【００４２】
そして、障子１０を完全に閉じると、図１３に示すように、前記係合突起４４３が係合凹部５４３に係合するため、所定の保持力が発生し、利用者が障子１０を移動させない限り、各下部キャップ部材４０，５０同士は図１３に示す全閉状態を維持する。この際、上部キャップ部材３０同士も磁石３１によって磁着されるため、障子１０は全閉状態を維持することができる。
【００４３】
このような本実施形態によれば、以下のような効果がある。
（１）突出部４４が収納される収納凹部５４の下側にカバー部５６を設け、このカバー部５６は下部キャップ部材５０の対向面５１Ａから突出されているので、収納凹部５４に足を近づけてもカバー部５６に当たって近づけることができないため、収納凹部５４に足の指が入ってしまうことを防止できる。
また、突出部４４および収納凹部５４は大きな厚さ寸法にする必要が無く、本実施形態では約４ｍｍ程度の小さな厚さ寸法とされているので、この点でも収納凹部５４に足の指がはいってしまうことを防止できる。
さらに、収納凹部５４の開口側つまり対向面５１Ａ側には傾斜面５４Ａを形成し、収納凹部５４内に収納される突出部４４の外側面４４２Ａを円弧状に形成したので、仮に収納凹部５４部分に指が入っても、上記傾斜面５４Ａ、外側面４４２Ａ間は障子１０が閉じられるに従って、図１１〜１３に示すように徐々に狭くなり、かつ、奥に行くに従って狭くなるように設定された指逃がし構造を採用しているので、指は傾斜面５４Ａ、外側面４４２Ａで押し戻され、突出部４４および収納凹部５４で指が挟まれることを確実に防止できる。
その上、突出部４４に形成された係合突起４４３も円弧状に形成されているので、係合突起４４３部分に指が引っ掛かってしまうことも防止でき、係合突起４４３が形成されていても指が挟まれることを防止できる。
【００４４】
（２）また、カバー部５６が収納される収納凹部４６には、その上側に前記突出部４４を設け、この突出部４４も下部キャップ部材４０の対向面４１Ａから突出されているので、収納凹部４６に足を近づけても突出部４４に当たって近づけることができないため、収納凹部４６に足の指が入ってしまうことを防止できる。
また、カバー部５６および収納凹部４６は大きな厚さ寸法にする必要が無く、本実施形態では約５ｍｍ程度の小さな厚さ寸法とされているので、この点でも収納凹部４６に足の指がはいってしまうことを防止できる。
さらに、収納凹部４６には湾曲面４６Ｂを形成し、収納凹部４６内に収納されるカバー部５６の外側面５６２Ａを円弧状に形成したので、仮に収納凹部４６部分に指が入っても、上記湾曲面４６Ｂ、外側面５６２Ａ間は障子１０が閉じられるに従って、図１４〜１６に示すように徐々に狭くなり、かつ、奥に行くに従って狭くなるように設定された指逃がし構造を採用しているので、前記指は湾曲面４６Ｂ、外側面５６２Ａで押し戻され、カバー部５６および収納凹部４６で指が挟まれることを確実に防止できる。
【００４５】
（３）さらに、案内部５５が収納される収納凹部４５は、床から比較的高い位置に形成され、かつ、その下側に前記突出部４４が設けられているので、収納凹部４５に足を近づけても突出部４４に当たって近づけることができないため、収納凹部４５に足の指が入ってしまうことを防止できる。
また、案内部５５および収納凹部４５は大きな厚さ寸法にする必要が無く、本実施形態では約３．５ｍｍ程度の小さな厚さ寸法とされているので、この点でも収納凹部４５に足の指がはいってしまうことを防止できる。
さらに、収納凹部４５は収納凹部４６と同じ平面形状とされ、案内部５５もカバー部５６と同じ平面形状とされていて指逃がし構造を採用しているので、仮に収納凹部４５部分に指が入っても、前記カバー部５６および収納凹部４６と同じ作用によって、指が押し戻されるため、案内部５５および収納凹部４５で指が挟まれることも確実に防止できる。
【００４６】
（４）突出部４４に形成した係合突起４４３を、収納凹部５４の係合凹部５４３に係合させているので、下部キャップ部材４０，５０同士を障子１０の全閉状態に保持することができる。このため、上部キャップ部材３０の磁石３１のみで障子１０を全閉状態に保持する場合に比べて、障子１０を全閉状態に保持する保持力を増大でき、障子１０を確実に保持することができる。
すなわち、下部キャップ部材においても、上部キャップ部材３０のように磁石３１が設けられた対向面を形成すると、障子１０を閉じた際に、足の指がその対向面間に挟まれてしまうし、下部キャップ部材に磁石などの障子を全閉状態に保持する構造を設けない場合には上部キャップ部材３０の磁石３１のみで保持力を確保しなければならず、十分な保持力を確保することが困難である。これに対し、本実施形態では、下部キャップ４０，５０部分でも互いに係合して保持力を発生する構造を採用し、かつ、上記の通り、足の指が挟まれることを防止する構造を採用したので、足の指詰めを防止できて安全性を向上できると共に、障子１０を全閉状態に確実に保持することができる。
【００４７】
（５）各下部キャップ部材４０、５０には、障子１０を全閉状態にした際に互いに当接する突部４２Ａ，５２Ａを形成しているので、障子１０の逆折れを確実に防止でき、使い勝手の良い折れ戸１を形成できる。
さらに、障子１０を全閉状態にした際に、各突部４２Ａ，５２Ａが互いに当接することで、各縦框１３１間に隙間を形成することができ、下部キャップ部材４０、５０間だけでなく縦框１３１間においても指詰めを防止できる。
【００４８】
（６）各下部キャップ部材４０、５０の突出部４４、案内部５５、カバー部５６は、障子１０を開いた状態、つまり一対の障子１０が連結部材１５部分で折り曲げられている状態では、図４に示すように縦框１３１から突出されているが、図６に示すように全閉状態では各収納凹部４５，４６，５４に収納されて縦框１３１の面外方向に突出していないので、折れ戸１を全閉状態にした場合に、その閉鎖面に突起が生じず、意匠性および使い勝手の良い折れ戸１にすることができる。
また、上部キャップ部材３０においても、図６に示すように、障子１０が全閉状態では縦框１３１の面外方向に突出する部分が無いため、この点でも意匠性および使い勝手の良い折れ戸１にすることができる。
【００４９】
（７）下部キャップ部材４０、５０において、上部キャップ部材３０と同様に磁石を組み込むと、床に落ちている金属製のゴミを引き寄せてしまう可能性があるが、本実施形態では各キャップ４０，５０の係合を、係合突起４４３および係合凹部５４３によって行っているので、磁石を用いる必要が無く、前記金属製のゴミを引き寄せてしまうことも確実に防止できる。
【００５０】
（８）その上、上部キャップ部材３０のみに磁石３１を用いているので、下部キャップ部材４０、５０にも磁石を組み込む場合に比べてコストを低減できる。
また、本実施形態の下部キャップ部材４０、５０は、突出部４４、案内部５５、カバー部５６等を備える点で従来にない新規な構造であるが、縦框１３１の下端には、従来も樹脂製のキャップ部材が取り付けられていることが多く、これらのキャップの代わりに本実施形態の下部キャップ部材４０、５０を組み込めばよいため、下部キャップ部材４０、５０部分のコストアップは低く抑えることができる。従って、本実施形態の折れ戸１は、上下に磁石を組み込んだ折れ戸に比べてコストが増大することを防止できる。
【００５１】
（９）下部キャップ部材４０、５０は、水平方向に突出する突出部４４および収納凹部５４の係合によって保持力を確保しているため、下部キャップ部材４０、５０の下端面からラッチなどを突出させてレールに係合させる必要がない。このため、前記ラッチによってフローリングなどの床を傷つけることも確実に防止できる。
【００５２】
なお、本発明は、前記実施形態に限定されるものではなく、本発明の目的が達成できる他の構成等を含み、以下に示すような変形等も本発明に含まれる。
例えば、前記実施形態においては、突出部４４側に係合突起４４３を形成し、収納凹部５４に係合凹部５４３を形成していたが、図１７に示すように、突出部４４に係合凹部４４４を形成し、収納凹部５４に係合突部５４４を形成し、これらの係合突部５４４および係合凹部４４４を係合させるように構成してもよい。
【００５３】
また、図１８に示すように、突出部４４および収納凹部５４に、係合突起および係合凹部を設けずに、磁石７０を設け、その磁力によって障子１０の全閉状態での下部キャップ部材４０、５０間の保持力を確保しても良い。なお、当然ながら、突出部４４および収納凹部５４の両方に磁石７０を組み込む代わりに、一方に磁石７０を設け、他方には磁石７０に磁着する金属材を設けてもよい。
【００５４】
さらに、前記実施形態では下部キャップ部材５０に案内部５５を設けていたが、図１９に示すように、案内部を無くし、カバー部５６のみを設けてもよい。このような場合でも、前記実施形態と同様に、収納凹部５４や収納凹部４６に足の指が入ることを防止でき、また、仮に足の指が入っても、その指を外側に逃がすことができるので、指詰めを確実に防止できる。
但し、前記実施形態では案内部５５が設けられていてカバー部５６の上、つまり収納凹部５４部分に足の指を配置することができない構造となっており、収納凹部５４内に指が入りにくい構造となっている点や、障子１０を開閉する際に、突出部４４の上下面を案内部５５およびカバー部５６で案内できてその移動をよりスムーズにできる点で、前記実施形態の構成が好ましい。
【００５５】
また、図１９では、突出部４４の下側にカバー部５６を設けていたが、図２０に示すように、突出部４４の上側にカバー部５６を設けてもよい。この場合も、収納凹部５４に足が近づくと、足がカバー部５６に当たるために、その指が収納凹部５４に侵入することを防止できる。但し、前記実施形態のほうが、突出部４４の上下に案内部５５、カバー部５６が設けられていて突出部４４をスムーズに移動できる点で好ましい。
【００５６】
さらに、前記実施形態においては、三組み６枚の障子１０を有した折れ戸１を例示したが、本発明の建具は、一組み２枚あるいは二組み4枚の障子を有した折れ戸であってもよく、また、四組み以上の障子の組み合わせを有した折れ戸であってもよい。さらに、本発明の建具は、折れ戸に限らず、一組みまたは複数組みの一対の障子（面材）を有した可動間仕切りであってもよい。
また、本発明の建具の用途としては、屋内の部屋や物入れ、浴室等の出入り口に設けられる戸の他、面材の下部に若干の隙間があっても使用上差し支えのない位置にて空間を仕切る用途に利用可能である。
【００５７】
また、前記実施形態では、一対の障子（面材）１０の両方における他方の側端縁である縦框１３２の下端部に案内部材２０が設けられ、一対の障子１０が左右いずれの側にも開閉可能に構成されていたが、これに限らず、一対の面材のうちいずれか片方の面材における他方の側端縁下端部に案内部材が設けられ、反対側の面材の下端部がスライド移動不能（回動可能）に下レールや床に支持されていてもよい。
【００５８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５９】
【図１】本発明の実施形態に係る建具を示す正面図である。
【図２】前記建具の縦断面図である。
【図３】前記建具の横断面図である。
【図４】全開状態の建具における連結部材および縦框部分を示す斜視図である。
【図５】全開状態および全閉状態の間の状態の建具における連結部材および縦框部分を示す斜視図である。
【図６】全閉状態の建具における連結部材および縦框部分を示す斜視図である。
【図７】全閉状態の建具における連結部材および縦框部分を示す正面図である。
【図８】図７のＡ−Ａ線に沿った位置の下部キャップ部材の断面図である。
【図９】図８の状態からさらに障子を全閉状態に移動する途中の状態を示す下部キャップ部材の断面図である。
【図１０】全閉状態となった障子の下部キャップ部材の断面図である。
【図１１】図７のＢ−Ｂ線に沿った位置の下部キャップ部材の断面図である。
【図１２】図１１の状態からさらに障子を全閉状態に移動する途中の状態を示す下部キャップ部材の断面図である。
【図１３】全閉状態となった障子の下部キャップ部材の断面図である。
【図１４】全開状態となった障子の下部キャップ部材の下面図である。
【図１５】全開状態から全閉状態に移動する途中の状態を示す下部キャップ部材の下面図である。
【図１６】全閉状態となった障子の下部キャップ部材の下面図である。
【図１７】本発明の変形例を示す下部キャップ部材の断面図である。
【図１８】本発明の他の変形例を示す下部キャップ部材の断面図である。
【図１９】本発明の他の変形例を示す連結部材および縦框部分を示す斜視図である。
【図２０】本発明の他の変形例を示す連結部材および縦框部分を示す斜視図である。
【符号の説明】
【００６０】
１…建具である折れ戸、１０…面材である障子、１３…側端縁である縦框、１５…連結部材、３０…上部キャップ部材、４０…一方の端部部材である下部キャップ部材、５０…他方の端部部材である下部キャップ部材、４１，５１…本体部、４２，５２…逆折れ防止用当接部、４４…突出部、４５，４６，５４…収納凹部、５５…案内部、５６…カバー部、１３１…一方の側端縁である縦框、４４３…係合突起、５４３…係合凹部。
【図１】
2008190142.tif 000003
【図２】
2008190142.tif 000004
【図３】
2008190142.tif 000005
【図４】
2008190142.tif 000006
【図５】
2008190142.tif 000007
【図６】
2008190142.tif 000008
【図７】
2008190142.tif 000009
【図８】
2008190142.tif 000010
【図９】
2008190142.tif 000011
【図１０】
2008190142.tif 000012
【図１１】
2008190142.tif 000013
【図１２】
2008190142.tif 000014
【図１３】
2008190142.tif 000015
【図１４】
2008190142.tif 000016
【図１５】
2008190142.tif 000017
【図１６】
2008190142.tif 000018
【図１７】
2008190142.tif 000019
【図１８】
2008190142.tif 000020
【図１９】
2008190142.tif 000021
【図２０】
2008190142.tif 000022